(57)【特許請求の範囲】
【請求項１】
包み込むための前カバーと後ろカバーおよび印刷回路基板とを有するセルラー電話機内のＳＩＭカードホルダであって、該ＳＩＭカードホルダは、
カバー内に実装されていて、軸方向に沿って挿入されたＳＩＭカードを収納するためのスロットを有し、ＳＩＭカードを支持するためのシェルフを形成しているベースにして、該ＳＩＭカードは該スロットから後部壁へ伸びている軸に沿って挿入可能であり、該スロットは該電話機のバッテリ室内で開いていて、該スロットは該バッテリ室内にバッテリが配置されることによりふさがれる、ベースと
該ベース内に実装されていて、各々が該シェルフ上に設けられたカード接点と、該印刷回路基板と接続するために該ベースから伸びている端子とを有する複数個の電気的導体と、
該ベース上を滑り移動させるように配置されているイジェクタにして、該ＳＩＭカードの端と合うための傾斜壁を有するボディと、イジェクタを操作するために該カバーのスロットから突き出ているボタンとを含むイジェクタと、
を含むＳＩＭカードホルダ。
【請求項２】
請求項１記載のホルダにおいて、前記カード接点が前記シェルフの穴から弾力的に突き出ている、ＳＩＭカードホルダ。
【請求項３】
請求項２記載のホルダにおいて、前記カード接点は各々弧状に曲げられた導電性ストリップ端部としてつくられている、ＳＩＭカードホルダ。
【請求項４】
請求項１記載のホルダにおいて、前記導体は導電性の金属ストリップからつくられている、ＳＩＭカードホルダ。
【請求項５】
請求項１記載のホルダにおいて、前記導体は導電性のエラストマ材料からつくられている、ＳＩＭカードホルダ。
【請求項６】
請求項１記載のホルダにおいて、前記導体は導電性の柔軟性フィルムからつくられている、ＳＩＭカードホルダ。
【請求項７】
請求項１記載のホルダにおいて、前記カバーは前記ベースを前記カバーに固定するためのスナップファスナを含む、ＳＩＭカードホルダ。
【請求項８】
請求項１記載のホルダにおいて、前記カバーは直立ピンを含み、前記ベースは該ピンと合うための実装用穴を含み、前記ベースは該ピンに押し付けられて、該ピンが曲げられて前記ベースを前記カバーに留めるようになっている、ＳＩＭカードホルダ。
【請求項９】
請求項１記載のホルダにおいて、前記ベースは前記シェルフの両端部に側壁を、前記シェルフの終端部に終端壁を含む、ＳＩＭカードホルダ。
【請求項１０】
請求項１記載のホルダにおいて、前記カバーは前記ＳＩＭカードを保持するためのスペースを前記シェルフと共に定めるために、前記シェルフのほうへ向かって伸びるリブを含む、ＳＩＭカードホルダ。
【請求項１１】
請求項１記載のホルダにおいて、前記ベースは前記ベースの長手方向に滑り移動させるための前記イジェクタの案内手段を含む、ＳＩＭカードホルダ。
【請求項１２】
請求項１１記載のホルダにおいて、前記案内手段は前記シェルフ内に形成された凹部と、前記シェルフの側端に形成された肩部とを含む、ＳＩＭカードホルダ。
【請求項１３】
請求項１記載のホルダにおいて、前記イジェクタの前記ボディはＳＩＭカードの面取り角と合う傾斜壁部を含み、該傾斜壁部は正しくない向きで挿入されたＳＩＭカードを排除するために、前記ベースの挿入方向に対して斜めに設定されている、ＳＩＭカードホルダ。
【請求項１４】
請求項１記載のホルダにおいて、前記ベースはバッテリ室に向けて前記スロットが開くように配置されて、前記カバーの中に実装されている、ＳＩＭカードホルダ。
【請求項１５】
囲まれる空間を定める前後のカバーと、
該囲まれた空間の中に置かれた印刷回路基板と、
前記カバーの内の一方の中に実装されていて、ＳＩＭカードを挿入方向に沿って収納するためのスロットを有し、該ＳＩＭカードを支持するためのシェルフを形成していて、該スロットと該シェルフとは挿入軸上に並んでいるベースと、該ベース内に実装されていて、各々が該シェルフ上に設けられているカード接点と、該印刷回路基板と接続するために該ベースから伸びている端子とを有する複数個の電気的導体と、該ベース上を滑り移動させるように配置されているイジェクタにして、該ＳＩＭカードの端と合うための傾斜壁と、イジェクタを操作するために該カバーのスロットから突き出ているボタンとを含むイジェクタとを含み、該スロットが該前カバーと該後ろカバーとで区切られるバッテリ室に向かって開いていて、該バッテリ室内のバッテリが該スロットをふさぐように配置されているＳＩＭカードホルダと、
を含むセルラー電話機。
【発明の詳細な説明】
本発明は、たとえばセルラー電話機用の、無線通信移動ステーションに関するものであり、特にセルラー電話機内のＳＩＭカードを保持するための装置に関するものである。
背景と要約
加入者照合モジュール（ＳＩＭ）は実装装置によってセルラー電話機内の印刷回路基板に接続されている電子メモリチップを含む。ＳＩＭカードは電話機を作動させるのに必要な情報を有している。さらに、ＳＩＭカードは加入者に関する個人情報、たとえば頻繁に使う電話番号のリスト、を含むこともできる。
セルラー電話機にＳＩＭカードを実装するための既知の装置は、電話機の印刷回路基板に固定されているベースを含む。ベースはＳＩＭカード上のパッドと電気的に接触するためのピン接点を含む。ベースはセルラー電話機内にあって、そのピンはセルラー電話機の印刷回路基板に半田付けされている。カバー部分がヒンジを介してベースに付けられていて、ＳＩＭカードを挿入するためのスロットが設けられている。カバーをベースの方へ旋回させると、ピンがＳＩＭカードのパッドに接触するようになっている。
セルラー電話機の小型化が進行するにつれて、従来のＳＩＭカードホルダの構造に難点が出てきた。たとえば、ＳＩＭカードホルダを印刷回路基板に半田付けすることにより、印刷回路基板上の貴重なスペースが取られる。ＳＩＭカードホルダを交換しなければならない場合に、半田接続部を開放して新しいホルダと接続しなければならない。ホルダのヒンジカバー部分もまたセルラー電話機構造内で貴重なアクセススペースを必要とする。
本発明は従来技術のこれらの問題および他の問題を克服したＳＩＭカードホルダを提供することである。
本発明によれば、ＳＩＭカードホルダはベースを含み、ベースはセルラー電話機のカバーの中に実装されていて、電話機のバッテリ室を通ってアクセスすることができる。ＳＩＭカードホルダはＳＩＭカードホルダを印刷回路基板に電気的に接続するための導体を含む。導体はＳＩＭカードの保持位置にあってＳＩＭカード上のパッドと接触するようになっている接点と、支持バーから伸びている端子とを含む。セルラー電話機に前カバーと後ろカバーとが取りつけられると、端子が印刷回路基板と接続されるような位置関係で、ＳＩＭカードホルダがカバー内に実装される。
本発明によれば、ベースはＳＩＭカードが挿入軸に沿って挿入できるようにスロットを含む。挿入軸上を滑って往復移動できるように、イジェクタがベース上に設けられていて、使用者がイジェクタを操作できるように、ノブまたはボタンがスロットから外に突き出ている。ＳＩＭカードがホルダに挿入されると、カードがイジェクタを後部位置まで動かす。ノブを操作することにより、イジェクタをスロットの前の方へ動かし、カードを外側に押してＳＩＭカードホルダからカードを除くことができる。
本発明によれば、ＳＩＭカードとホルダとはカードが確実に正しい向きで挿入されるようにする手段を含む。ＳＩＭカードは１個の面取り角を含み、イジェクタはそれと合う傾斜壁部を含む。正しい向きの場合、面取り角が傾斜壁と接触する。もしカードがこの向きに挿入されなかったならば、傾斜壁はカードがホルダに完全に挿入されるのを阻止するので、ＳＩＭカード上の接触用パッドは導体と接触せず、ＳＩＭカードの一部はスロットから外に突き出る。
本発明の別の態様によれば、ＳＩＭカードホルダはスロットが電話機のバッテリ室に面するようにセルラー電話機のカバーの中に実装される。バッテリがバッテリ室に実装されると、バッテリがスロットの入り口を塞いで、ＳＩＭカードへのアクセスを妨げるので、ＳＩＭカードはホルダの中に確保される。
【図面の簡単な説明】
以下付属の図面を用いて詳細に説明するので、それを参照することにより本発明がよりよく理解されるであろう。図では同様の要素には同じ参照符号をつけてある。
図１は本発明によるＳＩＭカードホルダの斜視図である。
図２はＳＩＭカードの形を示す。
図３は図１のＳＩＭカードホルダで、ＳＩＭカードを点線で示してある。
図４は図１のＳＩＭカードホルダのイジェクタの斜視図である。
図５は図１のＳＩＭカードホルダの上面図である。
図６は図５の６−６線に沿ったＳＩＭカードホルダの断面図である。
図７はＳＩＭカードホルダの底面図である。
図８はＳＩＭカードホルダを実装したときのセルラー電話機の後ろカバーの底面図である。
図９はセルラー電話機の後ろカバーの上面図である。
図１０は図８の後ろカバーの１０−１０線に沿った断面図である。
詳細な説明
図１の斜視図に本発明によるＳＩＭカードホルダ１０を示す。図２にＳＩＭカード１５を示す。ＳＩＭカード１５は実質的に矩形形の平たい素子であって、カードをカードホルダに案内するために面取りした角１６をひとつ有する。複数個の電気的接触用パッド１８がＳＩＭカード１５の表面に形成されていて、セルラー電話機を作動するための情報を有する電子チップ（図示せず）と接続する。
ＳＩＭカードホルダ１０はトレイ状のベース１２として作られていて、両側の壁２２，２４と終端の壁２６とにより区切られている矩形状のシェルフ２０を有する。シェルフ２０の前縁部２８は開いていて、ＳＩＭカードを前縁部から終端壁２６へと挿入軸に沿って受け入れるためのスロットを形成している。
図８−１０に示すように、ＳＩＭカードホルダ１０はセルラー電話機のカバー９０の中に実装されている。図示した実施例では後部カバー９０が示してあるが、本発明のホルダは前カバー、後ろカバーいずれでも同じ利点を有することができる。ＳＩＭカード１５をセルラー電話機内の印刷回路基板８０に接続するための電気的導体６０が設けられている。この点は後で詳細に説明する。ＳＩＭカードホルダ１０は、シェルフ２０の前縁部２８がバッテリー９６の収納室内で開いているようにして、カバー９０の中に実装される。図９，１０に示すようにバッテリ９６が適所に置かれているとき、ＳＩＭカード１５へのアクセスと取り外しが阻止される。バッテリーも除かれているときのみ、すなわち電話機が作動中でないときのみＳＩＭカードを取り外しできる、という点において、このことは安全措置になっているのである。
挿入軸に沿って往復スライド動作をするために、イジェクタ４０がＳＩＭカードホルダ１０に設置されている。図１に示すイジェクタ４０はシェルフ２０の前縁部２８に最も近く、カードが挿入されてないときの位置にある。図３はＳＩＭカード１５が点線で示すように挿入されたときのＳＩＭカードホルダ１０を示す。イジェクタ４０はＳＩＭカード１５により後ろの方に押されて、カード挿入位置にあることが見えるであろう。
図３と図４とを見ると、イジェクタ４０のボディ４２は、挿入位置にあるとき、ＳＩＭカード１５の面取り角１６と整合するための傾斜壁４４と、ＳＩＭカードの終端縁１９と整合するために翼部４８に形成されている直線壁４６とを含む。傾斜壁４４と面取り角１６とが相互に合うことにより、ＳＩＭカードは確実に正しい向きでホルダに挿入される。図３を見れば理解されるように、もしＳＩＭカード１５の面取りのない角がイジェクタ４０と接触しながらＳＩＭカード１５が挿入されれば、ＳＩＭカード１５が完全にシェルフ２０の中に挿入されることを傾斜壁４４が阻止するであろう。カード１５の一部が前縁部２８から外に出ていることにより、向きが正しくないことを使用者に知らせるであろう。さらに、図１０を見てわかるように、不適当に挿入されたＳＩＭカード１５の一部がホルダ１０のスロットからバッテリ室の中にとびだしているから、バッテリの搭載が妨げられる。このことによってもまた、ＳＩＭカードの向きが正しくないことが使用者に知らされる。
ＳＩＭカードホルダ１０のベース１２はイジェクタ４０が挿入軸に沿ってシェルフ上を移動する際の案内手段を含む。図３と図５に示すように、案内手段はシェルフ２０の凹部３０と側壁２２に形成された肩部３２とを含む。ボディ４２の底面５０と翼部４８とはシェルフ２０の凹部３０で合う。ボディ４２から横に伸びているリップ５２が側壁２２の肩部３２とはまり合う。
イジェクタ４０はイジェクタを操作することができるボタン５４を含む。ボタン５４は図９に示すように、セルラー電話機のカバーの穴５６から外に突き出ている。
前述のように、ＳＩＭカードホルダ１０はカード１５をセルラー電話機内の印刷回路基板に接続するための手段を含む。複数個の電気的導体６０がベース１２に搭載されている。各導体６０はＳＩＭカード１５上の接触用パッド１８（図２）と接触するためにシェルフ２０上に配置された接点６２を含む。６個の接点６２と接触用パッド１８とが図示されているが、都合に応じて別の数のパッドと接点を含んでよい。各電気的導体６０に形成されている端子６４は、バー６６を介してベース１２の前縁部２８の下まで伸びている。ホルダ１２の底面に搭載されたブロック６８はシェルフ２０とバー６６間の電気的導体６０を支えている。ＳＩＭカード１５をセルラー電話機に実装するとき、図１０に示すように、導体６０の端子６４が印刷回路基板８０上のコネクタ８２に接触して、ＳＩＭカード１５を印刷回路基板８０に接続する。
好ましい実施例によれば、導体６０は各々導電性材料、たとえば金属、の薄いストリップから作られる。あるいは、ワイヤ、導電性フィルムまたは別の適当な形状に作られた材料から作ってもよい。図１と図５とを参照すると、各導体６０の接点６２は導体の弧状端部である。接点６２は各々シェルフ２０内の穴７０から突き出していて、シェルフの表面に凸面側を形成している。接点が曲面であることによって弾力性が提供され、接点６２が曲げられる、または穴７０の中に押し込まれることによって、シェルフ面に対するばね力が生まれるであろう。このことによって、接点６２がＳＩＭカード１５の接触用パッドと確実に積極的に接触するようになる。さらに、図１０からわかるように、接点６２から生ずるばね力はＳＩＭカード１５に作用して、カードをＳＩＭカードホルダ１０とカバー９０内に形成されたリブ９２との間の適所に保持する。
あるいはまた、導体６０を導電性のエラストマで作ってもよい。その種の実施例では、エラストマ導体はシェルフ２０の穴７０を通って伸びる弾力性のパッドを用いて作ることができる。エラストマ材料の弾力性により、ＳＩＭカードの接触用パッド１８に作用するばね力が生じる。
図８に示すように、ＳＩＭカードホルダ１０はばねクリップ９８によりカバー９０の中に実装されている。ばねクリップ９８はたとえば弾力性の指部として、各指部が自由端に形成されたあご部を有するように作ることができる。指部９８が曲がることにより、ＳＩＭカードホルダ１０が指部間に仕切られた空間に挿入できるようになり、あご部はホルダのベースを捕らえて、ホルダをカバー９０に留める。
また、カバー９０の適切な位置に直立ピンを立てて、それがＳＩＭカードホルダ１０の中に形成された実装用の穴に合うようにしてもよい。それからＳＩＭカードホルダ１０をピンに押し付けて、ピンの頭部を熱して変形させ、ピンをホルダの穴に留める。
図１０に示すように、導体６０の端子６４は印刷回路基板８０のネクタ８２と接触する。印刷回路基板８０は前カバー（図示せず）の中に固定されるかまたは置かれていて、前カバーと後ろカバーとが組み立てられたとき、端子６４が印刷回路基板８０と接触するだろう。あるいはまた、印刷回路基板を後ろカバーに取りつけてもよい。図６に最も明快に示してあるように、端子６４は曲がっていて、印刷回路基板８０と接触するための表面を形成している。端子６４はまた接触圧が端子６４と印刷回路基板８０上のコネクタ８２間に加わるように、弾力性を持たせてある。あるいはまた、もし好都合ならば、端子６４を印刷回路基板８０に半田付けしてもよい。
以上本発明を好ましい実施例、原理および部品に関して説明した。しかし当業者ならば、請求の範囲に記載された範囲を逸脱することなく、ここに述べた以外の代替物と均等物を用いて本発明を実行することができるであろう。
【図１】
0003941886.tif 000002
【図２】
0003941886.tif 000003
【図３】
0003941886.tif 000004
【図４】
0003941886.tif 000005
【図５】
0003941886.tif 000006
【図６】
0003941886.tif 000007
【図７】
0003941886.tif 000008
【図８】
0003941886.tif 000009
【図９】
0003941886.tif 000010
【図１０】
0003941886.tif 000011